(57)【特許請求の範囲】
【請求項１】
データセクタに対して識別情報が付与された記録媒体において、
前記識別情報は、複数のデータセクタに対して１つ付与され、かつ、隣接するトラックのデータセクタ、及び、識別情報とずれた位置に配置されていることを特徴とする記録媒体。
【請求項２】
所定のトラックが凸形状とされ、該所定のトラックに隣接するトラックが凹形状とされたことを特徴とする請求項１記載の記録媒体。
【請求項３】
前記識別情報は、トラック方向に隣接する識別情報で連続してアドレスが付与されたことを特徴とする請求項１又は２記載の記録媒体。
【請求項４】
前記識別情報は、トラック方向に隣接する識別情報で所定アドレス分だけ離間してアドレスが付与されたことを特徴とする請求項１又は２記載の記録媒体。
【請求項５】
前記複数のデータセクタの間に前記データセクタを区分するための同期情報を付与したことを特徴とする請求項１乃至４のいずれか一項記載の記録媒体。
【請求項６】
前記同期情報を、隣接するトラックで隣り合う位置に配置したことを特徴とする請求項５記載の記録媒体。
【請求項７】
前記同期情報は、隣接するトラックでは同じパターンで、ＩＤがあるセクタと無いセクタとで異なるパターンに設定されたことを特徴とする請求項５又は６記載の記録媒体。
【請求項８】
前記同期情報は、１トラックおき配置されたことを特徴とする請求項６記載の記録媒体。
【請求項９】
複数のデータセクタに対して１つの識別情報が付与され、該識別情報は隣接するトラックのデータセクタ、及び、識別情報とずれた位置に配置された記録媒体にアクセスする情報記憶装置であって、
前記識別情報に基づいて前記複数のデータセクタのアドレスを生成し、該アドレスに応じて所定のデータセクタに到達したことを判定するアドレス判定手段を有することを特徴とする情報記憶装置。
【請求項１０】
前記アドレス判定手段は、前記データセクタの数を識別し、前記識別情報及び前記データセクタの数に応じて前記アドレスを生成することを特徴とする請求項９記載の情報記憶装置。
【請求項１１】
直前に前記識別情報がない所定のデータセクタをリード／ライトする場合に、所定のデータセクタに近い前記識別情報からサーボエラー感度を変更するサーボ制御手段を有することを特徴とする請求項９又は１０記載の情報記憶装置。
【請求項１２】
前記アドレス判定手段が前記識別情報が付与されないセクタのアドレスを判定するタイミングに対し、マージンが拡げられたウィンドウ信号を出力することを特徴とする請求項９乃至１１のいずれか一項記載の情報記憶装置。
【請求項１３】
前記アドレス判定手段が前記識別情報が付与されないセクタのアドレスを判定したとき、前記識別情報が付与されないセクタの前で、かつ、前記識別情報が付与されたセクタからデータの受付処理を行うこと特徴とする請求項９乃至１２のいずれか一項記載の情報記憶装置。
【発明の詳細な説明】
【０００１】
【発明が属する技術分野】
本発明は記録媒体及び情報記憶装置に係り、特に、データにＩＤを付与して情報の記憶を行う記録媒体及び情報記憶装置に関する。
近年、情報処理の分野における情報量の増大に伴い、それらを記憶する情報記憶装置の大容量化が望まれている。情報記憶装置で用いられる光磁気ディスク等の記録媒体では、情報にＩＤを基に記録している。このため、記録密度を上げて記憶容量を増大させるとこれに伴いＩＤも増大してしまい、フォーマッティングの効率が悪化している。
【０００２】
また、光磁気ディスクにおいてはＩＤを有するヘッダ部分（ＩＤ領域）はピット（孔）により凹凸で記録されている。ピットはフォトプロセスによりレーザ光により形成された原盤を用いて射出形成することによりディスク基板が形成される。そして、ディスク基板に記録膜、保護膜などを成膜することで光磁気ディスクが製造されている。このため、ピットサイズは、レーザー光の波長に応じたサイズとなる。
【０００３】
一方、光磁気ディスクにおいてはＭＳＲ（Magnetically induced Super Resolution ）技術によりマークのサイズを大幅に小さくできる。ＭＳＲ技術によりピットのサイズは、マークのサイズの２〜３倍となっている。
このため、ピットの存在により記録密度が向上が阻害されるようになっている。
【０００４】
【従来の技術】
図１に従来の光磁気ディスクの一例のフォーマットを示す図を示す。
従来の光磁気ディスク１は、一定の回転速度で回転される。このため、光ビームと光磁気ディスク１との相対速度が光磁気ディスク１の内周側と外周側とで変化することになる。光磁気ディスク１の内周側と外周側とを４つのゾーンＺ１〜Ｚ４に分割して、内周側のゾーンＺ１で記録周波数が低く、外周側のゾーンＺ４で記録周波数が高くなるようにゾーンＺ１〜Ｚ４毎に記録周波数を設定する、いわゆる、ＺＣＡＶ（Zone Constant Angular Velocity）により記録容量の増大を図っている。
【０００５】
また、光磁気ディスク１には、予め所定のセクタ長にヘッダ部２が形成されている。光ビームは、光磁気ディスク１に予め凹凸のピット（孔）でヘッダ部に記録されたアドレス（ＩＤ）情報に基づいて目的セクタへの位置付け制御が行われる。ヘッダ部２の間にデータ部３が設定されている。このデータ部３に記憶すべき情報が記憶される。
【０００６】
図２は従来の光磁気ディスクの一例のデータ部のデータ構成図を示す。
データトラックは、複数のデータセクタ４から構成される。データセクタ４は、ヘッダ部５及びデータ部６から構成される。ヘッダ部５には、データ部６を識別するためのアドレスが格納される。データ部６には、記憶すべき情報が格納される。
【０００７】
データセクタ４間にはバッファ７が設けられる。また、ヘッダ部５とデータ部６との間にはギャップ８が設けられる。また、ゾーンＺ１〜Ｚ４の同一ゾーンでは隣接するトラックでヘッダ部５とデータ部６とが隣り合って形成されていた。
次に、ヘッダ部５のデータ構成について説明する。
図３は従来の光磁気ディスクの一例のヘッダ部のデータ構成図を示す。
【０００８】
ヘッダ部５は、セクタマーク９、第１のＶＦＯ同期領域１０、アドレスマーク１１、第１のトラックアドレス１２、第１のセクタアドレス１３、第１のエラー訂正符号１４、第２のＶＦＯ同期領域１５、アドレスマーク１６、第２のトラックアドレス１７、第２のセクタアドレス１８、第２のエラー訂正符号１９、ポストアンブル２０から構成される。
【０００９】
セクタマーク９は、セクタ４の開始を示す。第１のＶＦＯ同期領域１０により第１のトラックアドレス１２及び第１のセクタアドレス１３を読み取るためのＶＦＯ同期がとられる。第１のアドレスマーク１１は、第１のトラックアドレス１２及び第１のセクタアドレス１３の開始を示す。第１のトラックアドレス１２は、走査されているデータのトラックアドレスを示す。第１のセクタアドレス１３は、データのセクタアドレスを示す。第１のエラー訂正符号１４は、第１のトラックアドレス１２及び第１のセクタアドレス１３のエラーをチェックするために用いられる符号が格納される。
【００１０】
第２のＶＦＯ同期領域１５は、第２のトラックアドレス１７及び第２のセクタアドレス１８を読み取るためのＶＦＯ同期がとられる。第２のアドレスマーク１６は、第２のトラックアドレス１７及び第２のセクタアドレス１８の開始を示す。第２のトラックアドレス１７は、第１のトラックアドレス１２と同様に走査されているデータのトラックアドレスを示す。第２のセクタアドレス１８は、第１のセクタアドレス１３と同様に走査されているデータのセクタアドレスを示す。第２のエラー訂正符号１９は、第２のトラックアドレス１７及び第２のセクタアドレス１８のエラーをチェックし、訂正するために用いられる符号が格納される。ポストアンブル２０は、ヘッダ部５の最終を示す。
【００１１】
第１のトラックアドレスＡｔ１及び第１のセクタアドレスＡｓ１又は第２のトラックアドレスＡｔ２及び第２のセクタドレスＡｓ１のいずれかにより光ビームの位置を識別する。
次に、データ部６について詳細に説明する。
図４は従来の光磁気ディスクの一例のデータ部のデータ構成図を示す。
【００１２】
データ部（データフィールド）６は、第３のＶＦＯ同期領域２１、シンクバイト２２、データ２３、エラーチェック符号２４、ポストアンブル２５から構成される。
第３のＶＦＯ同期領域２１は、データを記録再生するためのＶＦＯ同期をとるために用いられる。シンクバイト２２は、データフィールドの同期パターンで、データを記録再生するための同期をとる。データ２３には、データが記録される。エラーチェック符号２４は、データ２３のエラーを検出し、訂正するために用いられる。ポストアンブル２５は、データ部６の終了を示す。
【００１３】
以上のように従来の光磁気ディスク１は、各セクタ４毎にヘッダ部５を設け、光ビームの位置を識別していた。
【００１４】
【発明が解決しようとする課題】
しかるに、光磁気ディスクにおいてはＭＳＲ（Magnetically induced
Super Resolution ）技術によりマークのサイズを大幅に小さくできるようになっているが、ヘッダ部はピット（孔）により形成されており、ピットはフォトプロセスによりレーザ光により形成されるとともに、レーザ光の光磁気ディスクからの反射光で信号を読み取るため、レーザ光の波長に応じたサイズに制限され、マークサイズの２〜３倍程度に制限されており、ＭＳＲ技術によりデータの密度を２〜３倍に高めると、同じバイト数のヘッダ領域長でもデータに対して密度が１／２〜１／３となるため、相対的にヘッダの占める割合が大きくなり、このピットの存在により記録密度の向上が阻害される等の問題点があった。
【００１５】
また、各セクタ４毎にヘッダ部５を設ける必要があったため、ヘッダ部５の比率が増加することによりフォーマッティングの効率が悪化するなどの問題点があった。
本発明は上記の点に鑑みてなされたもので、記録密度を向上させることができる記録媒体及び情報記憶装置を提供することを目的とする。
【００１６】
【課題を解決するための手段】
本発明の請求項１は、データ部に対して識別情報が付与された記録媒体において、前記識別情報を複数のデータセクタに対して１つ付与し、かつ、隣接するトラックのデータセクタ、及び、識別情報とずれた位置に配置したことを特徴とする。
請求項１によれば、複数のデータ部に対して１つの識別情報を付与し、複数のデータ部を隣接するトラックでずれた位置に配置することにより、複数のデータ部に対して１つの識別情報を書き込めばよいので、フォーマット効率を向上でき、また、所定のトラックから識別情報を読み出す際に誤って隣接するトラックからの識別情報が読み出されることがないので正確にアクセスを行うことが可能である。さらに、複数のデータ部を隣接するトラックでずれた位置に配置することにより、例えば、光磁気ディスクにおけるＭＳＲ（Magnetically induced Super Resolution ）技術などのようにマークのサイズを大幅に小さくしたときに、識別情報を含むヘッダ部をピット（孔）で形成しても、隣接するトラックでヘッダ部が隣合うことがないので、ヘッダ部が隣接するトラックにかかっても隣接するトラックのヘッダ部に影響を与えることがないので、ヘッダ部を形成するピットの存在により記録密度の向上が阻害されるようなことがなくなり、よって、記録密度を向上させることができる。
【００１７】
請求項２は、請求項１を所定のトラックが凸形状とされ、所定のトラックに隣接するトラックが凹形状とされ、いわゆる、ランド／グルーブ媒体に適用してなる。
請求項２によれば、トラックピッチが狭く、隣接する識別情報でクロストークが発生するような場合でも、所定のトラックから識別情報を読み出す際に誤って隣接するトラックからの識別情報が読み出されることがないので、正確にアクセスを行うことが可能となる。
【００１８】
請求項３は、トラック方向に隣接する識別情報で連続してアドレスを付与してなる。
請求項３によれば、識別情報に対して従来と同様に連続してアドレスを付与することができる。
請求項４は、トラック方向に隣接する識別情報で所定アドレス分だけ離間してアドレスを付与してなる。
【００１９】
請求項４によれば、トラック方向に隣接する識別情報で所定アドレス分だけ離間してアドレスを付与することにより、識別情報間の設けられたデータに対して連続してアドレスを付与できる。
請求項５は、複数のデータ部の間にデータ部を区分するための同期情報を付与してなる。
【００２０】
請求項５によれば、同期情報によりデータ部間で同期をとることができるため、偏心や回転ジッタによる同期ずれを低減できる。
請求項６は、同期情報を、隣接するトラックで隣り合う位置に配置してなる。請求項６によれば、同期情報を、隣接するトラックで隣り合う位置に配置することによりクロストークによっても同期情報を検出できるので、同期情報を確実に検出できる。
【００２１】
請求項７は、同期情報を、隣接するトラックで同じパターンで、ＩＤがあるセクタと無いセクタとで異なるパターンに設定してなる。
請求項７によれば、同期情報でＩＤの有無を区別でき、ＩＤの有るセクタの同期情報を検出することにより識別情報を正確に読み出すことができる。
請求項８は、同期情報が１トラックおきに配置してなる。
【００２２】
請求項８によれば、同期情報を１トラックおきに配置し、隣接するトラックからのクロストークにより同期情報を検出することにより、フォーマット効率を向上できる。
請求項９は、複数のデータセクタに対して１つの識別情報が付与され、該識別情報は隣接するトラックのデータセクタ、及び、識別情報とずれた位置に配置された記録媒体にアクセスする情報記憶装置であって、識別情報に基づいて複数のデータ部のアドレスを生成し、該アドレスに応じて所定のデータ部に到達したことを判定するアドレス判定手段を設けてなる。
【００２３】
請求項９によれば、複数のデータ部に対して１つの識別情報を付与し、複数のデータ部を隣接するトラックでずれた位置に配置することにより、複数のデータ部に対して１つの識別情報を書き込めばよいので、フォーマット効率を向上でき、また、所定のトラックから識別情報を読み出す際に誤って隣接するトラックからの識別情報が読み出されることがないので正確にアクセスを行うことが可能である。
【００２４】
請求項１０は、データ部の数を識別し、識別情報及びデータ部の数に応じてアドレスを生成するようにしてなる。
請求項１０によれば、データ部に対して、アドレスを付与して管理できる。  請求項１１は、直前に前記識別情報がない所定のデータセクタをリード／ライトする場合に、所定のデータセクタに近い前記識別情報からサーボエラー感度を変更するサーボ制御手段を有する。
【００２５】
請求項１１によれば、直前に前記識別情報がない所定のデータセクタをリード／ライトする場合に、所定のデータセクタに近い前記識別情報からサーボエラー感度を変更することにより、サーボエラーを確実に検出でき、誤った読み出し、書き込みを防止できる。
請求項１２は、前記アドレス判定手段が前記識別情報が付与されないセクタのアドレスを判定したとき、前記識別情報に期待されるタイミングに対し、マージンが拡げられたウィンドウ信号を出力するようにしてなる。
【００２６】
請求項１２によれば、アドレス判定手段が識別情報が付与されないセクタのアドレスを判定したとき、識別情報に期待されるタイミングに対し、マージンが拡げられたウィンドウ信号を出力することにより、識別情報が付与されないセクタでも確実に情報を読み出すことができる。
請求項１３は、前記アドレス判定手段が前記識別情報が付与されないセクタのアドレスを判定したとき、前記識別情報が付与されないセクタの前で、かつ、前記識別情報が付与されたセクタからデータの受付処理を行うようにしてなる。
【００２７】
請求項１３によれば、識別情報が付与されたいないセクタからデータにアクセスするときには、その前の識別情報が付与されたセクタからデータを読み出すことことにより、アクセスすべきデータに確実にアクセスできる。
【００２８】
【発明の実施の形態】
図５は本発明の記録媒体の第１実施例のフォーマットを示す図を示す。同図中、図１と同一構成部分には同一符号を付し、その説明は省略する。
本実施例は、図１と同様に光磁気ディスク１００のフォーマットについて説明する。光磁気ディスク１００は、図１とはデータ部１０１のフォーマットが相違する。
【００２９】
図６は本発明の記録媒体の第１実施例のデータ部のフォーマットを示す図を示す。
本実施例の光磁気ディスク１００のデータ部１０１は、図６に示すように隣接するトラックＴｒ１〜Ｔｒｎが凹凸状に形成されている。トラックＴｒ１，Ｔｒ３・・・は光磁気ディスク１００を形成する基板に対して凹状に形成されたグルーブに形成される。トラックＴｒ１，Ｔｒ３・・・には、１つのヘッダ部１０２に対して２つのデータ部１０３−１，１０３−２が形成される。
【００３０】
トラックＴｒ２，Ｔｒ４・・・は光磁気ディスク１００を形成する基板に対して凸状に形成されたランドに形成される。トラックＴｒ１，Ｔｒ３・・・には、１つのヘッダ部１０４に対して２つのデータ部１０５−１，１０５−２が形成される。
グルーブに形成されるトラックＴｒ１，Ｔｒ３・・・のヘッダ部１０２は光磁気ディスク１００の半径方向（矢印Ａ方向）に配列される。ランドに形成されるトラックＴｒ２，Ｔｒ４・・・のヘッダ部１０４は光磁気ディスク１００の半径方向（矢印Ａ方向）に配列される。
【００３１】
また、グルーブに形成されるトラックＴｒ１，Ｔｒ３・・・のデータ部１０３−１とランドに形成されるトラックＴｒ２，Ｔｒ４のデータ部１０５−２とは光磁気ディスク１００の半径方向（矢印Ａ方向）に配列される。さらに、グルーブに形成されるトラックＴｒ１，Ｔｒ３・・・のデータ部１０３−２とランドに形成されるトラックＴｒ２，Ｔｒ４・・・のデータ部１０５−１とは光磁気ディスク１００の半径方向（矢印Ａ方向）に配列される。
【００３２】
例えば、トラックＴｒ１，Ｔｒ３・・・のヘッダ部１０２を走査するときに、隣接するトラックＴｒ２，Ｔｒ４・・・のヘッダ部１０４を走査することがないので、ＩＤの誤検出を防止できる。特に、ＭＳＲのような高密度記録方式を使用する場合、ピットよりもマークは小さいため、ヘッダ部が隣接トラックで重ならないのでトラック密度を向上させることができる。
【００３３】
また、２つのデータ部１０３−１，１０３−２及び１０５−１，１０５−２で１つのヘッダ部１０２及び１０４を設定すればよいので、光磁気ディスク１００上に設定すべきヘッダ部を減少させることができる。よって、光磁気ディスク１００上のフォーマット効率を向上させることができる。
なお、ヘッダ部１０２のデータ構成は、図３と同一である。また、データ部１０３−１，１０３−２及びデータ部１０５−１，１０５−２のデータ構成は図４と同一である。
【００３４】
また、本実施例では、２つのデータ部１０３−１，１０３−２に対して１つのヘッダ部１０２が設定されているので、ヘッダ部１０２で得られるアドレスから２つのアドレスを生成する必要がある。
図７は本発明の記録媒体の第１実施例のデータ部のアドレスの設定を説明するための図を示す。
【００３５】
例えば、トラックＴｒ１のヘッダ部１０２−１に設定されたアドレスを「Ｎ」、「Ｎ＋２」・・・のように設定し、ヘッダ部１０２−１の次に配置されるデータ部１０３−１１のアドレスを「Ｎ」、データ部１０３−１１の次に配置されるデータ部１０３−１２のアドレスを「Ｎ＋１」とする。ヘッダ部１０２−２の次に配置されるデータ部１０３−２１のアドレスを「Ｎ＋２」、データ部１０３−２１の次に配置されるデータ部１０３−２２のアドレスを［Ｎ＋３」とする。なお、データ部１０３−１２，１０３−２２のアドレスは、ヘッダ部１０２−１に設定されたアドレス「Ｎ」，「Ｎ＋２」に対して１セクタ分の通過通知に応じて「１」を加算することにより求められる。
【００３６】
このようにアドレスを設定することにより全てのデータ部で連続してアドレスを付与できる。
なお、本実施例によれば、光磁気ディスクにおいてはＭＳＲ（Magnetically induced Super Resolution ）技術を用いてマークのサイズを大幅に小さくしたときに、ヘッダ部１０２、１０４をピット（孔）で形成しても、隣接するトラックでヘッダ部が隣合うことがないので、ヘッダ部１０２、１０４が隣接するトラックにかかっても隣接するトラックのヘッダ部１０２、１０４に影響を与えることがないので、ヘッダ部１０２、１０４を形成するピットの存在により記録密度が向上が阻害されるようなことがなくなり、よって、記録密度を向上させることができる。
【００３７】
また、ヘッダ部１０２、１０４は、ランド又はグルーブにそのまま形成したり、ヘッダ部１０２、１０４を形成する部分にはトラック溝を形成しないで、全てランドとしてヘッダ部１０２、１０４に対応するピットを形成するようにしてもよく、ヘッダ部１０２、１０４の形成の仕方についてはこれらに限定されるものではなく、種々の形成方法を適用できる。
【００３８】
さらに、本実施例では、ヘッダ部１０２−１，１０２−２のアドレスを不連続としたが、ヘッダ部１０２−１，１０２−２のアドレスを連続として、ヘッダ部１０２−１，１０２−２のアドレスに応じてデータ部１０３−１１，１０３−１２，１０３−２１，１０３−２２のアドレスを設定するようにしてもよい。
図８は本発明の記録媒体の第１実施例のデータ部の他のアドレスの設定を説明するための図を示す。
【００３９】
図８に示すようにヘッダ部１０２−１のアドレスを「Ｎ」、次のヘッダ部１０２−２を「Ｎ＋１」に設定する。そして、アドレス「Ｎ」のヘッダ部１０２−１に含まれるデータ部１０３−１１のアドレスを「２Ｎ」としてデータ部１０３−１２のアドレスを「２Ｎ＋１」とする。
また、アドレス「Ｎ＋１」のヘッダ部１０２−２に含まれるデータ部１０３−２１のアドレスを「２（Ｎ＋１）」とし、データ部１０３−２２のアドレスを「２（Ｎ＋１）＋１」とする。
【００４０】
本変形例によれば、ヘッダ部１０２のアドレスを連続して付与できる。
なお、本実施例では、単に２つのデータ部１０３−１，１０３−２及び１０５−１，１０５−２で１つのヘッダ部１０２及び１０４を設定する構成としたが、データ部１０３−１とデータ部１０３−２との間にセクタマークを設けるようにしてもよい。セクタマークがあれば、セクタの開始位置が正確に認識できる。また、セクタマークはアドレスによらず同一であるため隣接トラックで、セクタマークＳＭを並べて配置することでクロストークがあってもサーボマークＳＭを正確に検出することができる。
【００４１】
図９は本発明の記録媒体の第２実施例のデータ部のフォーマットを示す図を示す。同図中、図６と同一構成部分には同一符号を付し、その説明は省略する。
本実施例のデータ部１１０は、データ部１０３−１とデータ部１０３−２との間にセクタマーク１１１を設けてなる。セクタマーク１１１は、ヘッダ部１０２を構成する図３に示すセクタマーク９と同一である。
【００４２】
図１０は本発明の記録媒体の第２実施例のセクタマークのデータ構成図を示す。図１０（Ａ）は第１のパターンのセクタマーク、図１０（Ｂ）は第２のパターンのセクタマークのデータ構成を示す。
図１０（Ａ）に示す第１のパターン及び図１０（Ｂ）に示す第２のパターンは、ＩＳＯ／ＩＥＣ１５０４１に規定されている「ＥＶＥＮ  ＢＡＮＤ」及び「ＯＤＤ  ＢＡＮＤ」を示す。
【００４３】
セクタマーク１１１には、図１０に示す２種類のパターンの何れかを用いる。第１のパターンのセクタマークは、ＩＳＯ／ＩＥＣ１５０４１に規定されている「ＯＤＤ  ＢＡＮＤ」であり、図１０（Ａ）に示すように６周期「６Ｔ」のノーマーク部と１２周期「１２Ｔ」のマーク部とを３回繰り返し、次に１２周期「１２Ｔ」のノーマーク部と６周期「６Ｔ」のマーク部とを２回繰り返し、ビットパターン「０００１」＋「０１」を付加したパターンとされている。
【００４４】
第２のパターンのセクタマークは、ＩＳＯ／ＩＥＣ１５０４１に規定されている「ＥＶＥＮ  ＢＡＮＤ」であり、図１０（Ｂ）に示すように６周期「６Ｔ」のマーク部と１２周期「１２Ｔ」のノーマーク部とを３回繰り返し、次に１２周期「１２Ｔ」のマーク部と６周期「６Ｔ」のノーマーク部とを２回繰り返し、ビットパターン「０００００１」を付加したパターンとされている。
【００４５】
セクタマーク１１１には図１０（Ａ）に示される第１のパターン又は図１０（Ｂ）に示される第２のパターンのいずれかが用いられる。セクタマーク１１１は、隣接するトラックのヘッダ部１０２，１０４に設けられたサーボマーク９に半径方向（矢印Ａ方向）で並べて配設される。セクタマーク１１１をデータ部１０３−１とデータ部１０３−２との間及びデータ部１０５−１とデータ部１０５−２との間に設け、セクタマーク１１１で同期をとることによりディスク偏心や回転ジッタによるウィンドウずれを補正できる。
【００４６】
また、本実施例では、ヘッダ部１０２に設けられたサーボマーク９、データ部１０３−１とデータ部１０３−２との間及びデータ部１０５−１とデータ部１０５−２との間に設けられたセクタマーク１１１とを同一のパターンとしたが、異なるパターンで構成してもよい。なお、本実施例では、ヘッダ部１０２に隣接するセクタマーク１１１とヘッダ部１０２のサーボマーク９とを互いに隣り合わせて配置したが、サーボマーク１１１をヘッダ部１０２のサーボマーク９に先行して配置し、セクタマーク１１１とヘッダ部１０２とが半径方向で重ならないように配置してもよい。
【００４７】
ヘッダ部１０２とセクタマーク１１１とを半径方向で重ならないように配置することにより、ヘッダ部１０２とセクタマーク１１１を構成するピットを隣接するトラックで互いにはみ出して形成することができるので、トラックピッチをビット形成時のレーザ光の径より狭く設定できる。
図１１は本発明の記録媒体の第３実施例のデータ部のフォーマットを示す図を示す。同図中、図９と同一構成部分には同一符号を付し、その説明は省略する。
【００４８】
本実施例のデータ部１２０は、ヘッダ部１２１，１２２のセクタマーク１２３，１２４、データ部１０３−１とデータ部１０３−２との間に配設されるセクタマーク１２５及びデータ部１０５−１とデータ部１０５−２との間に配設されるセクタマーク１２６の配列は第２実施例と同じであり、セクタマーク１２３〜１２６のパターンが第１又は第２のパターンに設定されている。
【００４９】
セクタマーク１２３及び１２６は図１０（Ａ）に示す第１のパターン、セクタマーク１２４及び１２５は図１０（Ｂ）に示す第２のパターンから構成される。本実施例によれば、セクタマーク１２３を第１のパターン、セクタマーク１２４を第２のパターンで構成することにより、ＩＤのあるセクタと無いセクタとでセクタマークのパターンを区別でき、ランドか、グルーブかの設定からＩＤのあるセクタを正確に識別することができる。
【００５０】
なお、本実施例では、ランド及びグルーブの両方にセクタマークを配置したが、ビーム径よりトラックピッチが小さいランド／グルーブ媒体では、クロストークによりセクタマークを検出可能となるので、ランドとグルーブのいずれかにセクタマークを形成し、一方は通常に検出し、他方はクロストークで検出するようにしてもよい。
【００５１】
図１２は本発明の記録媒体の第４実施例のデータ部のフォーマットを示す図を示す。同図中、図１１と同一構成部分には同一符号を付し、その説明は省略する。
本実施例のデータ部１３０は、第３実施例においてランド、すなわち、トラックＴｒ２，Ｔｒ４・・・にセクタマーク１２４，１２６が削除された構成とされている。この場合は、グルーブは、例えば、セクタマーク１２３で検出し、ランドは、例えば、トラックＴｒ１、Ｔｒ２のセクタマーク１２３の両者からのクロストークで検出している。
【００５２】
図１３は本発明の記録媒体の第４実施例のセクタマーク部分とビームサイズとの関係を示す図を示す。
図１３に示すようにグルーブにセクタマークが形成されており、ランドにはセクタマークは形成されていない。このとき、レーザービームＬがランドに相当するトラックＴｒ２，Ｔｒ４・・・を走査するときには、レーザービームＬは図１３に示すようにトラックＴｒ２，Ｔｒ４・・・の中心を走査する。このとき、ランドに相当するトラックＴｒ２，Ｔｒ４・・・にはセクタマークは形成されていないが、レーザービームＬはトラックピッチＰに比べてサイズＳが大きいため、隣接するグルーブに相当するトラックＴｒ１，Ｔｒ３・・・に形成されたセクタマークの一部を走査することにより、信号のもれ込み、つまり、クロストークを利用してセクタマークのパターンを得ている。
【００５３】
本実施例によれば、光磁気ディスクにおいてはＭＳＲ（Magnetically induced Super Resolution ）技術を用いてマークのサイズを大幅に小さくしたときに、ヘッダ部をピット（孔）で形成しても、隣接するトラックでヘッダ部が隣合うことがないので、ヘッダ部が隣接するトラックにかかっても隣接するトラックのヘッダ部に影響を与えることがなく、よって、ヘッダ部を形成するピットの存在により記録密度が向上が阻害されるようなことがなくなり、よって、記録密度を向上させることができる。
【００５４】
なお、上記実施例では記録媒体として光磁気ディスクについて説明したが、光磁気ディスクに限定されるものではない。また、ＭＳＲ方式ではなく、ＭＡＭＭＯＳ方式やその他の媒体にビーム径より小さく記録する方式の記録媒体とその装置に応用可能である。
次に、上記の記録媒体に情報を記録再生するための情報記憶装置について説明する。
【００５５】
図１４は本発明の情報記憶装置の一実施例のブロック構成図を示す。
本実施例の光磁気ディスク装置２００は、図５乃至図１３に示す光磁気ディスクに情報を記憶する装置である。本実施例の光磁気ディスク装置２００は、光磁気ディスク２０１、スピンドルモータ２０２、磁気ヘッド２０３、磁気ヘッド制御回路２０４、光学ヘッド２０５、ポジショナ２０６、ＬＤ制御回路２０７、ヘッドアンプ２０８、リード回路２０９、サーボ回路２１０、サーボエラー検出回路２１１、ＯＤＣ（Optical Disk Controller ）２１２から構成される。
【００５６】
光磁気ディスク２０１は、例えば、図５〜図１３に示されるようなフォーマットとされている。光磁気ディスク２０１は、スピンドルモータ２０２により矢印Ａ方向に回転される。光磁気ディスク２０１には一方の面に磁気ヘッド２０３が半径方向（矢印Ｂ方向）に配置される。磁気ヘッド２０３は、光磁気ディスク２０１に記録／再生を行うための磁界を印加する。
【００５７】
また、光磁気ディスク２０１の他方の面の磁気ヘッド２０３に対向する位置には、光学ヘッド２０５が配置される。光学ヘッド２０５は、光磁気ディスク２０１に光ビームＬを照射する。
光学ヘッド２０５は、ポジショナ２０６に係合しており、ポジショナ２０６により光磁気ディスク２０１の半径方向（矢印Ｂ方向）に移動可能とされている。光学ヘッド２０５はＬＤ制御回路２０７に接続されている。光学ヘッド２０５は、ＬＤ制御回路２０７から供給される信号に応じて駆動され、光ビームＬを光磁気ディスク２０１に照射する。
【００５８】
光ビームＬは、光磁気ディスク２０１で反射され、再び光学ヘッド２０５に供給される。光磁気ディスク２０１からの反射光は再生信号に変換されてヘッドアンプ２０８に供給される。
ヘッドアンプ２０８は、再生信号からトラッキングエラー信号、ＩＤ／ＳＭ信号、情報信号ＭＯを分離する。ヘッドアンプ２０８で分離されたＩＤ／ＳＭ信号及び情報信号は、リード回路２０９に供給される。リード回路２０９は、ＩＤ／ＳＭ信号を分離し、ＩＤ及びＳＭ信号を復調するとともに、情報信号ＭＯを復調する。
【００５９】
リード回路２０９で復調されたＩＤ信号及びＳＭ信号並びに情報信号ＭＯは、ＯＤＣ２１２に供給される。ＯＤＣ２１２は、ＩＤ信号、ＳＭ信号により光ビームＬの光磁気ディスク２０１上での照射位置を認識し、サーボ感度の切換を行うための感度切換信号を生成する。また、ＯＤＣ２１２は、情報信号ＭＯを上位装置に送信する。
【００６０】
ＯＤＣ２１２で生成された感度切換信号は、サーボエラー検出回路２１１に供給される。サーボエラー検出回路２１１は、ＯＤＣ２１２から供給される感度切換信号に応じてヘッドアンプ２０８から供給されるトラッキングエラー信号ＴＥＳからサーボエラーを検出するための感度を制御する。サーボエラー検出回路１１１はヘッドアンプ２０８から供給されるトラッキングエラー信号がＯＤＣ２１２から供給される感度切換信号により設定された閾値より大きくなると、サーボエラーであると判定し、例えば、ハイレベル信号を出力する。
【００６１】
サーボエラー検出回路２１１での検出結果は、ＯＤＣ２１２及びサーボ回路２１０に供給される。ＯＤＣ２１２は、サーボエラー検出回路２１１でサーボエラーが検出されたときには、書き込み、読み出しを停止する。サーボ回路２１０は、サーボエラー検出回路２１１でサーボエラーが検出されたときには、サーボを停止する。
【００６２】
ここで、サーボエラー検出回路２１１について詳細に説明する。
図１５は本発明の情報記憶装置の一実施例のサーボエラー検出回路のブロック構成図を示す。
サーボエラー検出回路２１１は、スイッチ２１３、コンパレータ２１４，２１５、ＯＲゲート２１６、抵抗Ｒ１〜Ｒ４から構成される。抵抗Ｒ１〜Ｒ３は電源電圧＋Ｖ，−Ｖ間に直列に接続され、抵抗Ｒ１と抵抗Ｒ２との接続点に第１の閾値を生成し、抵抗Ｒ２と抵抗Ｒ３との接続点に第２の閾値を生成する。
【００６３】
抵抗Ｒ２には、スイッチ２１３及び抵抗Ｒ４からなる直列回路が並列に接続される。スイッチ２１３をスイッチングすることにより抵抗Ｒ４の抵抗Ｒ２への接続を切り換えることができる。スイッチ２１３は、ＯＤＣ２１２に接続され、ＯＤＣ２１２から供給される感度切換信号に応じて抵抗Ｒ４の抵抗Ｒ２への接続を切り換える。
【００６４】
スイッチ２１３は、ＯＤＣ２１２から供給される感度切換信号がハイレベル、すなわち、高感度を要求するときには、オンして、抵抗Ｒ４が抵抗Ｒ２に並列に接続される。抵抗Ｒ４が抵抗Ｒ２に並列に接続されると、抵抗Ｒ４が抵抗Ｒ１と抵抗Ｒ３との間の抵抗値が低減するので、第１の閾値と第２の閾値との差が小さくなり、感度が高くなる。また、スイッチ２１３は、ＯＤＣ２１２から供給される感度切換信号がローレベル、すなわち、低感度を要求するときには、オフして、抵抗Ｒ１と抵抗Ｒ３との間には抵抗Ｒ２だけになる。抵抗Ｒ２だけに接続されると、抵抗Ｒ１と抵抗Ｒ３との間の抵抗が抵抗Ｒ２だけになると抵抗Ｒ１と抵抗Ｒ３との間の抵抗値が低減するので、第１の閾値と第２の閾値との差が大きくなり、感度が低くなる。
【００６５】
抵抗Ｒ１と抵抗Ｒ２との接続点から出力される第１の閾値は、コンパレータ２１４の反転入力端子に供給される。抵抗Ｒ２と抵抗Ｒ３との接続点から出力される第２の閾値は、コンパレータ２１５の非反転入力端子に供給される。
コンパレータ２１４の非反転入力端子にはヘッドアンプ２０８からサーボエラー信号ＴＥＳが供給される。コンパレータ２１４は、サーボエラー信号ＴＥＳと第１の閾値とを比較し、サーボエラー信号ＴＥＳが第１の閾値より小さければ、出力をローレベル、サーボエラー信号ＴＥＳが第１の閾値より大きければ、出力をハイレベルとする。
【００６６】
コンパレータ２１５の反転入力端子には、ヘッドアンプ２０８からサーボエラー信号ＴＥＳが供給される。コンパレータ２１５は、サーボエラー信号ＴＥＳと第２の閾値とを比較し、サーボエラー信号ＴＥＳが第２の閾値より大きければ、出力をローレベル、サーボエラー信号ＴＥＳが第２の閾値より小さければ、出力をハイレベルとする。
【００６７】
コンパレータ２１４，２１５の出力は、ＯＲゲート２１６に供給される。ＯＲゲート２１６は、コンパレータ２１４，２１５の出力のＯＲ論理を出力する。
ＯＲゲート２１６の出力がサーボエラー検出回路２１１の出力としてＯＤＣ２１２及びサーボ回路２１０に供給される。
次に、ＯＤＣ２１２について説明する。
【００６８】
ＯＤＣ２１２は、光磁気ディスク２０１のヘッダ部からアドレスを検出するとともに、通過データ部をカウントしており、ヘッダ部から検出されたアドレスと通過データ部のカウント数とに基づいてヘッダ部が付与されていないデータ部のアドレスを認識し、リードライトを行う。例えば、ヘッダ部から検出されたアドレスに通過データ部のカウントを加算することによりヘッダ部が付与されていないデータ部のアドレスを認識する。
【００６９】
ＯＤＣ２１２についてさらに詳細に説明する。
図１６は本発明の情報記憶装置の一実施例のＯＤＣのブロック構成図を示す。ＯＤＣ２１２は、サーボマーク検出部２１７、ＩＤ検出部２１８、バイトカウンタ２１９、アドレスカウンタ２２０、比較器２２１，２２２，２２３、ゲートパルス作成部２２４、制御部２２５、レジスタ２２６、２２７から構成される。
【００７０】
サーボマーク検出部２１７は、リード回路２０９から供給されるサーボマーク信号ＳＭを検出し、サーボマーク信号に同期したＳＭ同期信号をバイトカウンタ２１９に供給する。ＩＤ検出部２１８は、リード回路２０９から供給されるＩＤ信号からＩＤアドレスを検出し、比較部２２１に供給するとともに、ＩＤ検出に同期したＩＤ同期信号をバイトカウンタ２１９に供給する。また、ＩＤ検出部２１８は、検出したＩＤ信号に応じたＩＤアドレスを比較部２２１に供給する。さらに、ＩＤ検出部２１８は、ＩＤ検出に失敗したときには、ＩＤ検出失敗通知をゲート作成部２２４に供給する。
【００７１】
バイトカウンタ２１９は、同期イベントに応じてカウントを行い、選択された同期イベントに応じた信号を出力する。バイトカウンタ２１９は、ＳＭ検出部２１７から供給されるＳＭ同期信号及びＩＤ検出部２１８から供給されるＩＤ同期信号を同期イベントとしてカウントを行う。バイトカウンタ２１９は、カウント結果に応じてＳＭ検出用ウィンドウをＳＭ検出部２１７に供給し、ＩＤ検出用ウィンドウをＩＤ検出部２１８に供給する。
【００７２】
また、バイトカウンタ２１９は、カウント結果に応じて１セクタ通過を検知し、１セクタ通過毎に１セクタ通過通知をアドレスカウンタ２２０に供給する。アドレスカウンタ２２０は、バイトカウンタ２１９から供給される１セクタ通過通知をカウントし、ＩＤアドレスが付与されていないセクタのＩＤアドレスに応じた推定アドレスを生成する。アドレスカウンタ２２０で生成された推定アドレスは比較部２２１，２２２，２２３に供給される。
【００７３】
比較部２２１はＩＤ検出部２１８から供給されるＩＤアドレスとアドレスカウンタ２２０から供給される推定アドレスとを比較し、その一致／不一致を検出する。比較部２２１は、ＩＤアドレスと推定アドレスとが不一致のときにはハイレベル、一致するときにローレベルとなる信号を出力する。比較部２２１の出力は、ゲート作成部２２４に供給される。
【００７４】
また、比較部２２２は、アドレスカウンタ２２０から供給される推定アドレスとレジスタ２２６に保持された処理開始セクタアドレスとを比較し、一致／不一致を検出する。比較部２２２は、アドレスカウンタ２２０から供給される推定アドレスとレジスタ２２６に保持された処理開始セクタアドレスとが一致するとハイレベル、不一致のときはローレベルとなる信号をゲート作成部２２４に供給する。ゲート作成部２２４は、比較部２２２の出力により処理開始位置を検知する。
【００７５】
比較部２２３は、アドレスカウンタ２２０から供給される推定アドレスとレジスタ２２７に保持された処理終了セクタアドレスとを比較し、一致／不一致を検出する。比較部２２３は、アドレスカウンタ２２０から供給される推定アドレスとレジスタ２２７に保持された処理終了セクタアドレスとが一致するとハイレベル、不一致のときはローレベルとなる信号をゲート作成部２２４に供給する。ゲート作成部２２４は、比較部２２２の出力により処理終了位置を検知する。
【００７６】
レジスタ２２６は、制御部２２５に接続されており、制御部２２５から処理開始アドレスが供給され、保持される。レジスタ２２７は、制御部２２５に接続されており、制御部２２５から処理終了アドレスが供給され、保持される。
ゲート作成部２２４は、バイトカウンタ２１９から供給されるカウント値、比較部２２２，２２３から供給される処理開始、終了アドレスを示す信号からライトゲート、リードゲート、サーボ感度切換信号を生成する。なお、ゲート作成部２２４には、ＩＤ検出部２１８からＩＤ検出失敗通知が供給されており、ＩＤ検出部２１８からＩＤ検出失敗通知が供給されると、ゲート生成処理を停止する。
【００７７】
次に、バイトカウンタ２１９について詳細に説明する。
図１７に本発明の情報記憶装置の一実施例のバイトカウンタのブロック構成図を示す。
バイトカウンタ２１９は、レジスタ２２８，２２９、マルチプレクサ２３０、ＯＲゲート２３１、カウンタ２３２、コンパレータ２３３−１〜２３３−ｎから構成される。
【００７８】
レジスタ２２８には、同期イベントを行うべきタイミングの値である同期値が予め保持されている。レジスタ２２８に保持された同期値は、マルチプレクサ２３０に供給される。マルチプレクサ２３０には、レジスタ２２８から同期値が供給されるとともに、同期イベントが供給される。同期イベントは、リードゲート、ライトゲート、サーボ感度切換などの各イベントを発生する際にハイレベル、停止状態のときに、ローレベルとなる信号である。
【００７９】
マルチプレクサ２３０は、供給された同期イベントに応じて上記レジスタ２２８に保持された同期値から所定の同期値を選択し、カウンタ２３２に供給する。また、ＯＲゲート２３１には、同期イベントが供給され、同期イベントのＯＲ論理をとる。ＯＲゲート２３１の出力はカウンタ２３２に供給される。カウンタ２３２は、マルチプレクサ２３０により選択された同期値からカウントを開始する。カウンタ２３２のカウント値はコンパレータ２３３−１〜２３３−ｎに供給される。
【００８０】
コンパレータ２３３には、カウンタ２３２のカウント値及びレジスタ２２９からタイミング値が供給される。レジスタ２２９には、各同期イベントを発生させるべきカウンタ２３２のカウント値を示すタイミング値が予め保持されている。コンパレータ２３３−１〜２３３−ｎは、カウンタ２３２からのカウント値とレジスタ２２９からのタイミング値とを比較し、カウンタ２３２からのカウント値とレジスタ２２９からのタイミング値とが一致のときには、ハイレベルを出力し、カウンタ２３２からのカウント値とレジスタ２２９からのタイミング値とが不一致のときには、ローレベルを出力する。
【００８１】
以上によりコンパレータ２３３−１〜２３３−ｎからイベントを発生させるべきタイミングで、ハイレベルになる信号が出力される。コンパレータ２３３−１〜２３３−ｎの出力は、ＳＭ検出部２１７、ＩＤ検出部２１８、アドレスカウンタ２２０、ゲート作成部２２４に供給される。
次にゲート作成部２２４で作成される各種イベントについて説明する。
【００８２】
図１８は本発明の情報記憶装置の一実施例のイベントの発生を説明するための図を示す。
図１８は情報リード時のイベント発生ついて説明している。
まず、サーボマークの記録された位置に到達すると、ＯＤＣ２１２によりサーボマーク検出ウィンドウがオープンされる（ステップＳ１−１）。ＳＭ検出ウィンドウがオープンすることにより、サーボマークを検出可能となる。ここで、サーボマークが検出されることによりサーボマークに同期する（ステップＳ１−２）。
【００８３】
ステップＳ１−２でサーボマークに同期すると、次に、サーボマーク検出ウィンドウがクローズされる（ステップＳ１−３）。
このとき、サーボマーク検出ウィンドウの期間は、サーボマークの期間より大きい期間に設定される。例えば、サーボマークの期間が５Ｂｙｔｅであるとすると、サーボマーク検出ウィンドウ期間は８Ｂｙｔｅ幅に設定され、サーボマークの前後両方で３Ｂｙｔｅ拡張される。これにより、サーボマーク検出ウィンドウ内にサーボマークが確実に位置し、サーボマークを確実に検出し得る。
【００８４】
次に、ステップＳ１−３で、サーボマーク検出ウィンドウがクローズされると、ＩＤ検出ウィンドウがオープンされる（ステップＳ１−４）。
ＩＤ検出ウィンドウがオープンされると、ＩＤの検出が可能となる。ここで、ＩＤ信号が同期すると、ＩＤが読み取られる（ステップＳ１−５）。ＩＤの検出の正当性は、ＩＤに付加されたＣＲＣのチェックが正常に終了したことによりチェックできる。ステップＳ１−５で、ＩＤが検出され、すなわち、ＩＤに付加されたＣＲＣのチェックが正常に終了すると、ＩＤ検出ウィンドウがクローズされる（ステップＳ１−６）。なお、ＩＤ検出ウィンドウもサーボマークウィンドウと同様に通常より広い期間に設定してもよい。
【００８５】
ステップＳ１−６でＩＤ検出ウィンドウがクローズされた後、ランドとグルーブのＩＤの切り換えを行い（ステップＳ１−７）、次のＩＤの検出を行う準備を行う。
次に、サーボエラー感度がアップされる（ステップＳ１−８）。ステップＳ１−８でサーボエラー感度がアップされると、リードゲートが開かれる（ステップＳ１−９）。続いて、シンクバイト検出ウィンドウが開かれ、シンクバイトを検出可能とする（ステップＳ１−１０）。
【００８６】
ステップＳ１−１０でシンクバイト検出ウィンドウが開かれ、シンクバイトが検出される（ステップＳ１−１１）。ステップＳ１−１１で、シンクバイトが検出され、同期がとれると、シンクバイト検出ウィンドウがクローズされる（ステップＳ１−１２）。なお、シンクバイト検出ウィンドウもサーボマークウィンドウと同様に通常より広い期間に設定してもよい。
【００８７】
ステップＳ１−１２でシンクバイト検出ウィンドウがクローズされると、データリードされる（ステップＳ１−１３）。ステップＳ１−１３でデータリードされると、リードゲートがクローズされる（ステップＳ１−１４）。ステップＳ１−１４で、リードゲートがクローズされると、サーボエラー感度がダウンされ、サーボが安定化される（ステップＳ１−１５）。なお、リードゲートウィンドウもサーボマークウィンドウと同様に通常より広い期間に設定してもよい。
【００８８】
以上により１セクタ分のデータがリードされる（ステップＳ１−１６）。
なお、情報ライト時にはステップＳ１−９で、ライトゲートがオープンされ、ステップＳ１−１４で、ライトゲートがクローズされる。このとき、ステップＳ１−１０〜Ｓ１−１２のシンクバイト検出は省略される。なお、ライトゲートウィンドウもサーボマークウィンドウと同様に通常より広い期間に設定してもよい。
【００８９】
以上により、トラックＴｒ１〜Ｔｒ４・・・へのデータの読み書きが行われる。
なお、本実施例では、ヘッダ部がない領域が存在しており、この部分で、ＩＤリードゲートがオンしないようにする必要がある。
図１９は本発明の情報記憶装置の一実施例のＯＤＣの動作説明図を示す。図１９（Ａ）はランドのデータフォーマット、図１９（Ｂ）はグルーブのデータフォーマット、図１９（Ｃ）はランドセクタマーク検出パルス、図１９（Ｄ）はグルーブセクタマーク検出パルス、図１９（Ｅ）はセクタマーク検出ウィンドウ、図１９（Ｆ）はＩＤリードゲートを示す。
【００９０】
本実施例で使用される光磁気ディスク２０１は、図１９（Ａ）に示すようにランドがフォーマッティングされ、図１９（Ｂ）に示すようにグルーブがフォーマッティングされる。また、光磁気ディスク２０１は、高記録密度化によりランドのトラックとグルーブのトラックとが近接している。よって、ランドを走査しているときに、グルーブのＩＤを読み出す可能性がある。このため、本実施例では、これを防ぐために、ランドを走査しているときにグルーブのＩＤを読み出さないようにしている。
【００９１】
図１９（Ａ）に示すランドのセクタマークを検索しているときには、図１９（Ｂ）に示すグルーブのセクタマークの検出を無視するようにする。このため、図１９（Ａ）に示すランドのセクタマーク検索時には、図１９（Ｅ）に示すようにセクタマーク検出が開始されたときに、図１９（Ｄ）に示すグルーブのセクタマークの検出パルスは無視する。セクタマークの検索が開始されてから図１９（Ｃ）に示すようにランドのセクタマークが検出されると、セクタマーク検出ウィンドウをオフするとともに、図１９（Ｆ）に示すようにＩＤリードゲートをオンする。よって、図１９（Ｆ）に示すようにＩＤリードゲートが図１９（Ａ）に示されるランドのヘッダ部だけでオンされるので、図１９（Ｂ）に示されるグルーブのヘッダ部でオンされることはない。このため、クロストークにより誤って図１９（Ｂ）に示すグルーブのＩＤが読み取られることを防止できる。
【００９２】
上記の操作は、バイトカウンタ２１９の処理によって行われる。
図２０は本発明の情報処理装置の一実施例のＯＤＣの要部の処理の等価回路図を示す。
図１９に示す操作は、図２０に示す等価回路により実現される。
図２０に示すように等価回路は、ＡＮＤゲート２３４，２３５、ＮＯＴ回路２３６、ＯＲゲート２３７、セクタマーク検出ウィンドウ出力部２３８から構成される。
【００９３】
ＡＮＤゲート２３４には、セクタマーク検出部２１７からランドセクタマーク検出パルスと制御回路２２５からランドをトラックしていることを示すランドトラッキング信号が供給され、ランドセクタマーク検出パルスとランドトラッキング信号とのＡＮＤをとる。また、ＡＮＤゲート２３５には、セクタマーク検出部２１７からグルーブセクタマーク検出パルスと制御回路２２５からランドをトラックしていることを示すランドトラッキング信号をＮＯＴ回路２３６で反転した信号が供給され、グルーブセクタマーク検出パルスとランドトラッキング信号を反転した信号とのＡＮＤをとる。
【００９４】
ＡＮＤゲート２３４，２３５の出力はＯＲゲート２３７に供給される。ＯＲゲート２３７はＡＮＤゲート２３４の出力とＡＮＤゲート２３５の出力とのＯＲ論理をとる。ＯＲゲート２３７の出力は、セクタマーク検出ウィンドウ出力部２３８に供給される。セクタマーク検出ウィンドウ出力部２３８は、ＯＲゲートから供給される信号によりセクタマーク検出ウィンドウをクリアする。また、セクタマーク検出ウィンドウ出力部２３８は、バイトカウンタ２１９の内部でイベントとして発行されるセクタマーク検索開始パルスが供給されている。セクタマーク検出ウィンドウ出力部２３８は、セクタマーク検索開始パルスによりセクタマーク検出ウィンドウをオンし、ＯＲゲート２３７から供給されるクリア信号によりセクタマーク検出ウィンドウをオフする。セクタマーク検出ウィンドウ出力部２３８で生成されたセクタマーク検出ウィンドウは、セクタマーク検出部２１７に供給される。セクタマーク検出部２１７は、セクタマーク検出ウィンドウ出力部２３８から供給されたセクタマーク検出ウィンドウによりセクタマークの検出を制御する。また、セクタマーク検出ウィンドウ出力部２３８で生成されたセクタマーク検出ウィンドウによりＩＤ検出ウィンドウのタイミングが図１９（Ｆ）に示すように制御される。
【００９５】
以上により、ランドトラック走査時にクロストークによりグルーブトラックのＩＤを検出するようなことがなくなる。
また、本実施例に用いられる光磁気ディスク２０１では、２つのセクタに対して１つのＩＤしか設定されていないので、ＩＤが形成されているデータ部（セクタ）とＩＤが形成されていないデータ部（セクタ）とでセクタマーク検出を切り換えることにより、両方のデータ部でセクタマークを検出し、１セクタ通過パルスを生成し、セクタ数をカウント可能としている。
【００９６】
図２１は本発明の情報記憶装置の一実施例の１セクタ通過パルスの生成の動作説明図を示す。図２１（Ａ）はランドトラックのフォーマット、図２１（Ｂ）はグルーブトラックのフォーマット、図２１（Ｃ）はランドＩＤリードゲート、図２１（Ｄ）はランドセクタマーク検出パルス、図２１（Ｅ）はグルーブセクタマーク検出パルス、図２１（Ｆ）は合成セクタマーク検出パルスを示す。
【００９７】
図２１（Ａ）に示すランドフォーマットのヘッダ部でランドセクタマークが検出され、図２１（Ｄ）に示すようにランドセクタマーク検出パルスが生成され、図２１（Ｂ）に示すグルーブフォーマットのヘッダ部でグルーブセクタマークが検出され、図２１（Ｅ）に示されるグルーブセクタマーク検出パルスが生成される。
【００９８】
図２１（Ｄ）に示すランドセクタマーク検出パルスと図２１（Ｅ）に示すグルーブセクタマーク検出パルスとを合成することにより図２１（Ｆ）に示す合成セクタマーク検出パルスが合成される。
図２２は本発明の情報記憶装置の一実施例の１セクタ通過パルスを生成するための回路の等価回路図を示す。
【００９９】
図２１に示す処理はバイトカウンタ２１９で行われる。
セクタマーク検出パルス合成回路は、ＡＮＤゲート２３９，２４０、ＮＯＴ回路２４３、ＯＲゲート２４４から構成される。ＡＮＤゲート２３９には、セクタマーク検出部２１７からランドセクタマーク検出パルスが供給されるとともに、バイトカウンタ２１９で生成されるＩＤ検出ウィンドウが供給され、それらのＡＮＤ論理を出力する。ＡＮＤゲート２３９の出力が図２１（Ｄ）に示すようになる。
【０１００】
ＡＮＤゲート２４０には、セクタマーク検出部２１７からグルーブセクタマーク検出パルスが供給されるとともに、バイトカウンタ２１９で生成されるＩＤ検出ウィンドウをＮＯＴ回路２４１で反転した信号が反転ＩＤ検出ウィンドウが供給され、それらのＡＮＤ論理を出力する。ＡＮＤゲート２４０の出力が図２１（Ｅ）に示すようになる。
【０１０１】
ＡＮＤゲート２３９，２４０の出力はＯＲゲート２４２に供給される。ＯＲゲート２４２は、ＡＮＤゲート２３９の出力とＡＮＤゲート２４０の出力とのＯＲ論理を出力する。ＯＲゲート２４２の出力は、図２１（Ｆ）に示すようになる。以上によりデータ部、すなわち、セクタ毎にパルスが出力される。このパルスが例えば、１セクタ通過パルスとしてアドレスカウンタ２２０に供給される。  なお、例えば、図１３に示すようにランドトラックのセクタマークをグルーブトラックに形成されたセクタマークで共用する場合に、ランドトラックを走査すると、図１３に示すようにビームＬの左右側縁部でグルーブトラックのセクタマークを走査することになるので、ビームの中心で走査する場合に比べて、遅延が生じることになる。本実施例の光磁気ディスク２０１では、１つのＩＤに対して２つのデータ部を対応させるため、ＩＤが存在しないデータ部のアドレスを決定するときに、セクタ数のカウントが重要となる。
【０１０２】
このため、セクタマーク検出パルスのパルス幅を補正する必要がある。
図２３は本発明の情報記憶装置の一実施例のセクタマーク検出パルス補正回路のブロック構成図を示す。
セクタマーク検出パルス補正回路２４３は、例えば、図２２に示すセクタパルス合成回路の出力に設けられる。セクタマーク検出パルス補正回路２４３は、遅延回路２４４、ＡＮＤゲート２４５、ＯＲゲート２４６から構成される。
【０１０３】
遅延回路２４４には、セクタパルス合成回路の出力、図２１（Ｆ）に示す信号が供給され、所定時間遅延を行う。遅延時間は、図１３でビームＬの中心端部とビームＬの周縁端部とグルーブのセクタマークとの交差する位置までの遅延量Ｔによって決定される。
遅延回路２４４の出力は、ＡＮＤゲート２４５に供給される。ＡＮＤゲート２４５には、遅延回路２４４の出力と制御回路２２５からランドトラック走査時にハイレベルとされるランドトラッキング信号が供給される。ＡＮＤゲート２４５は、遅延回路２４４の出力とランドトラッキング信号とのＡＮＤ論理を出力する。ＡＮＤゲート２４５により遅延回路２４４の出力をランドトラッキング信号に応じて制御できる。
【０１０４】
ＡＮＤゲート２４５の出力は、ＯＲゲート２４６に供給される。ＯＲゲート２４６には、セクタパルス合成回路の出力、すなわち、図２１（Ｆ）に示す信号及びＡＮＤゲート２４５の出力が供給され、それらの信号のＯＲ論理を出力する。セクタマーク検出パルス補正回路２４３により、ランドトラック走査時のセクタマーク検出パルスのパルス幅をグルーブトラック走査時に検出されるセクタマーク検出パルスのパルス幅と同等にできる。
【０１０５】
よって、図１３に示すようにランドトラックのセクタマークをグルーブトラックのセクタマークと共有した場合でも、ランドトラックのセクタマーク検出パルスのパルス幅をグルーブトラック走査時のセクタマーク検出パルスと同等にできるため、確実にセクタマークを検出することができる。
図２３は本発明の情報記憶装置の一実施例のゲート作成部の要部のブロック構成図を示す。
【０１０６】
ゲート作成部２２４は、フリップフロップ２４７〜２５１、マルチプレクサ２５２，２５３、ＡＮＤゲート２５４から構成される。
フリップフロップ２４７〜２５１はＪＫフリップフロップから構成される。フリップフロップ２４８は、Ｊ端子に制御回路２２５からランドセクタマーク検索開始パルスが供給され、Ｋ端子は「０」に固定され、Ｒ端子にセクタマーク検出部２１７からランドセクタマーク検出パルスが供給される。フリップフロップ２４８は、ランドセクタマーク検索パルスを出力する。
【０１０７】
フリップフロップ２４９は、Ｊ端子に制御回路２２５からグルーブセクタマーク検索開始パルスが供給され、Ｋ端子は「０」に固定され、Ｒ端子にセクタマーク検出部２１７からグルーブセクタマーク検出パルスが供給される。フリップフロップ２４９は、グルーブセクタマーク検索パルスを出力する。
フリップフロップ２４７は、Ｊ，Ｋ端子にバイトカウンタ２１９からランド／グルーブ切換パルスが供給され、Ｐ端子にフリップフロップ２４８の出力が供給され、Ｒ端子にフリップフロップ２４９の出力が供給される。フリップフロップ２４７は、ランドＩＤゲートパルスを生成する。ランドＩＤゲートパルスは、マルチプレクサ２５２，２５３及びＡＮＤゲート２５４に供給される。
【０１０８】
フリップフロップ２５０には、Ｊ端子にバイトカウンタ２１９からＩＤリードゲート開始パルスが供給され、Ｋ端子にバイトカウンタ２１９からＩＤリードゲート終了パルスが供給される。フリップフロップ２５０は、バイトカウンタ２１９から供給されるＩＤリードゲート開始パルス及びＩＤリードゲート終了パルスからＩＤリードゲートパルスを生成する。
【０１０９】
フリップフロップ２５０の出力は、ＡＮＤゲート２５４に供給される。ＡＮＤゲート２５４には、フリップフロップ２４７の出力及びフリップフロップ２５０の出力が供給され、それらのＡＮＤ論理を出力する。フリップフロップ２５０は、ＩＤリードゲートパルスからランドＩＤリードゲートパルス部分だけをＩＤリードゲートパルスとして出力する。
【０１１０】
マルチプレクサ２５２には、バイトカウンタ２１９から第１及び第２のシンクバイトオープンパルスが供給されており、フリップフロップ２４７から供給されるランドＩＤゲートパルスに応じて第１又は第２のシンクバイトオープンパルスを選択的にフリップフロップ２５１に供給する。例えば、フリップフロップ２４７から供給されるランドＩＤゲートパルスがハイレベルのときに、第１のシンクバイトウィンドウオープンパルスを選択し、フリップフロップ２４７から供給されるランドＩＤゲートパルスがローレベルのときに、第２のシンクバイトウィンドウオープンパルスを選択する。
【０１１１】
また、マルチプレクサ２５３には、バイトカウンタ２１９から第１及び第２のシンクバイトクローズパルスが供給されており、フリップフロップ２４７から供給されるランドＩＤゲートパルスに応じて第１又は第２のシンクバイトクローズパルスを選択的にフリップフロップ２５１に供給する。例えば、フリップフロップ２４７から供給されるランドＩＤゲートパルスがハイレベルのときに、第１のシンクバイトウィンドウクローズパルスを選択し、フリップフロップ２４７から供給されるランドＩＤゲートパルスがローレベルのときに、第２のシンクバイトウィンドウクローズパルスを選択する。
【０１１２】
フリップフロップ２５１には、Ｊ端子にマルチプレクサ２５２の選択出力が供給され、Ｋ端子にマルチプレクサ２５３の選択出力が供給される。フリップフロップ２５１は、ランドＩＤゲートパルスがハイレベルのときには、第１のシンクバイト開始パルスによりハイレベルとなり、第１のシンクバイト終了パルスによりローレベルとなるシンクバイトウィンドウを出力し、ランドＩＤゲートパルスがローレベルのときには、第２のシンクバイト開始パルスによりハイレベルとなり、第２のシンクバイト終了パルスによりローレベルとなるシンクバイトウィンドウを出力する。
【０１１３】
図２５に本発明の情報記憶装置の一実施例のゲート作成部の動作説明図を示す。
図２５（Ａ）はトラックフォーマット、図２５（Ｂ）はランドセクタマーク検索開始パルス、図２５（Ｃ）はランドセクタマーク検出パルス、図２５（Ｄ）はグルーブセクタマーク検出パルス、図２５（Ｅ）はランド／グルーブ切換パルス、図２５（Ｆ）はランドＩＤウィンドウ、図２５（Ｇ）はランドＩＤリードゲート、図２５（Ｈ）はＩＤリードゲート、図２５（Ｉ）は第１のシンクバイトウィンドウオープンパルス、図２５（Ｊ）は第２のシンクバイトウィンドウオープンパルス、図２５（Ｋ）は第１のシンクバイトウィンドウクローズパルス、図２５（Ｌ）は第２のシンクバイトウィンドウクローズパルス、図２５（Ｍ）はシンクバイトウィンドウを示す。
【０１１４】
リードライトコマンドが供給されると、イベントとして図２５（Ｂ）に示すようにランドセクタマーク検索開始パルスが出力される。ランドセクタマーク検索開始パルスにより図２５（Ｆ）に示すようにランドＩＤウィンドウが開かれる。ランドＩＤウィンドウがオープンされ、ランドセクタマークが供給されると、図２５（Ｃ）に示すようにランドセクタマークが検出される。また、ランドＩＤウィンドウがオープン時に図２５（Ｇ）に示す第１のＩＤリードゲートがオープンする。第１のＩＤリードゲートは、従来のヘッダ部の位置で発生する。
【０１１５】
次に、イベントとして図２５（Ｅ）に示すランド／グルーブ切換パルスが発生すると、図２５（Ｆ）に示すランドＩＤリードゲートがクローズする。また、イベントとして図２５（Ｊ）に示す第２のシンクバイトウィンドウオープンパルスが発行されると、図２５（Ｍ）に示すようにシンクバイトウィンドウがオープンする。イベントとして図２５（Ｌ）に示す第２のシンクバイトウィンドウクローズパルスが発行されると、図２５（Ｍ）に示すようにシンクバイトウィンドウがクローズする。
【０１１６】
次に、ビームＬがセクタマーク１２５の部分に達すると、図２５（Ｇ）に示すようにＩＤリードゲートはオープンするが、図２５（Ｆ）に示すようにランドＩＤウィンドウはローレベルであるので、図２５（Ｈ）に示すようにＩＤリードゲートはオフのままとなり、ＩＤの読み込みは行われない。よって、ランドトラック走査時に誤ってグルーブのＩＤを読み込みことがなくなる。
【０１１７】
このように、ＩＤが無いセクタでサーボウィンドウを例えば５Ｂｙｔｅから８Ｂｙｔｅに拡げることでマージンを持たせ、サーボウィンドウ内に確実にサーボ情報を存在させることができるので、ディスクの回転ムラや偏心によるサーボタイミングのずれを吸収することができる。
次に、サーボエラー検出回路２１１におけるサーボエラー検出感度の状態について説明する。
【０１１８】
図２６は本発明の情報記憶装置の一実施例のデータ部のリード／ライト開始タイミングを説明するための図を示す。図２６（Ａ）はリード／ライトすべきトラックのフォーマット、図２６（Ｂ），（Ｄ）は第１のデータ部１０３−１，１０５−１のリード／ライト開始タイミング、図２６（Ｃ）は第２のデータ部１０３−２，１０５−２のリード／ライトタイミングを示す。
【０１１９】
第１のデータ部１０３−１，１０５−１及び第２のデータ部１０３−２，１０５−２にリード／ライトを行う場合には、図２６（Ａ），（Ｂ）に示すように所望のヘッダ部１０２，１０４が検出されると、第１及び第２のデータ部にかかわらず、データのリード／ライト処理が受け付けられる。
また、次のＩＤのデータ部にリード／ライト処理を行う場合には、次のヘッダ部１０２，１０４が検出されると、データのリード／ライト処理が受け付けられる。
【０１２０】
なお、このとき、ヘッダ部１０２，１０４が検出され、データのリード／ライト処理が受け付けられると、サーボエラー検出感度が通常の２０％程度高感度とされる。
図２７は本発明の情報記憶装置の一実施例のサーボエラー検出感度の状態を説明するための図を示す。図２６（Ａ）はレーザービームＬが走査するトラックのフォーマット、図２６（Ｂ）はサーボエラー検出回路２１１に設定されるサーボエラー検出感度の状態、図２６（Ｃ）はリード／ライトゲートの状態を示す。
【０１２１】
ＩＤが検出され、図２６（Ａ）に示すデータ部１０３−１，１０５−１に到達すると、図２６（Ｂ）に示すようにサーボエラー検出感度が高感度にされ、サーボエラーに対して敏感に反応するようになる。
例えば、図２６（Ａ）に示す第２のデータ部１０３−２，１０５−２のデータにリード／ライトを行う場合、第１のデータ部１０３−１，１０５−１でトラックがずれて、隣のトラックを走査した場合、本実施例の光磁気ディスク２０１は第２のデータ部１０３−２，１０５−２の直前にはヘッダ部が存在しないので、そのまま隣の領域のデータにリード／ライト処理が実行される可能性がある。よって、サーボエラー検出感度を高感度にし、サーボエラーが検出された場合には、リード／ライト処理を即座に停止することにより、誤った位置でリード／ライトを行わなくて済む。
【０１２２】
なお、上記実施例では、１つのヘッダ部に対して２つのデータ部を設定した例について説明したが、１つのヘッダ部に対して複数のデータ部を設定するようにしてもよい。
また、上記実施例では、ヘッダ部を隣接するトラックで、異なるデータ部に設定することによりずらしているが、ヘッダ部だけをずらすようにしてもよい。  図２８は本発明の記録媒体の第５実施例のフォーマットを示す図を示す。
【０１２３】
図２８は１つのヘッダ部に対して複数のデータ部を設定し、かつ、ヘッダ部を隣接するトラックで、ヘッダ部をずらすようにした例を示す。
図２９は本発明の記録媒体の第６実施例のフォーマットを示す図を示す。
図２９は図２８においてデータ部の間にセクタマークを設定した例である。  上記本実施例の記録媒体及び情報記憶装置によれば、フォーマット効率が８７％から９３％に向上する。また、ＩＤが形成されないデータ部、すなわち、セクタに対してもセクタマークを形成することで、ディスク偏心や回転ジッタによるリード／ライトウィンドウずれを同期することができる。
【０１２４】
また、本実施例にようにＩＤが形成されていないデータ部、セクタを検知し、ヘッダ部が形成されていないデータ部では、ＩＤをリードするためのＩＤリードゲートを出力しないことにより、ヘッダ部が形成されていないデータ部でクロストークなどにより隣接するトラックに形成されたヘッダ部からＩＤを読み込みでしまうことがなくなるので、不当なＩＤの検出を防止できる。
【０１２５】
さらに、本実施例によれば、図１３に示されるようにトラックピッチを詰めたランド／グルーブ媒体では、ビームがランドを走査しているときにもクロストークによりグルーブに形成されたセクタマークを検出することができる。よって、ランドにグルーブを形成しなくてもセクタマークの検出が可能となる。
また、ランド／グルーブ媒体において、ランドとグルーブのセクタマークをＩＳＯ／ＩＥＣ  １５０４１で規定されているＥＶＥＮ  ＢＡＮＤとＯＤＤ  ＢＡＮＤで差別化することにより、ランドを走査しているときには、グルーブのセクタマークを検出しないようにすることにより、ランドを走査しているときにランドに対応したセクタマークを検出したときだけ、ＩＤリードウィンドウをオープンさせることにより、ランドを走査しているときに、グルーブのＩＤをリードすることを防止できる。なお、このとき、既に規定されているセクタマークを用いるので特別なセクタマーク検出回路が不要となる。例えば、既に製品化されている６４０Ｍバイト媒体のセクタマーク検出回路によりセクタマークが検出可能であり、既存の６４０Ｍバイト媒体との互換性を保持できる。
【０１２６】
【発明の効果】
上述の如く、請求項１によれば、複数のデータ部に対して１つの識別情報を付与し、複数のデータ部を隣接するトラックでずれた位置に配置することにより、複数のデータ部に対して１つの識別情報を書き込めばよいので、フォーマット効率を向上でき、また、所定のトラックから識別情報を読み出す際に誤って隣接するトラックからの識別情報が読み出されることがないので正確にアクセスを行うことが可能となり、さらに、複数のデータ部を隣接するトラックでずれた位置に配置することにより、例えば、光磁気ディスクにおけるＭＳＲ（Magnetically induced Super Resolution ）技術などのようにマークのサイズを大幅に小さくしたときに、識別情報を含むヘッダ部をピット（孔）で形成しても、隣接するトラックでヘッダ部が隣合うことがないので、ヘッダ部が隣接するトラックにかかっても隣接するトラックのヘッダ部に影響を与えることがないので、ヘッダ部を形成するピットの存在により記録密度の向上が阻害されるようなことがなくなり、よって、記録密度を向上させることができる等の特長を有する。
【０１２７】
請求項２によれば、トラックピッチが狭く、隣接する識別情報でクロストークが発生するような場合でも、所定のトラックから識別情報を読み出す際に誤って隣接するトラックからの識別情報が読み出されることがないので、正確にアクセスを行うことが可能となる等の特長を有する。
請求項３によれば、識別情報に対して従来と同様に連続してアドレスを付与することができる等の特長を有する。
【０１２８】
請求項４によれば、トラック方向に隣接する識別情報で所定アドレス分だけ離間してアドレスを付与することにより、識別情報間の設けられたデータに対して連続してアドレスを不要にできる等の特長を有する。
請求項５によれば、同期情報によりデータ部間で同期をとることができるため、偏心や回転ジッタによる同期ずれを低減できる等の特長を有する。
【０１２９】
請求項６によれば、同期情報を、隣接するトラックで隣り合う位置に配置することによりクロストークによっても同期情報を検出できるので、同期情報を確実に検出できる等の特長を有する。
請求項７によれば、トラックで同期情報を区別でき、所定のトラックの同期情報を検出することにより識別情報を正確に読み出すことができる等の特長を有する。
【０１３０】
請求項８によれば、同期情報を１トラックおきに配置し、隣接するトラックからのクロストークにより同期情報を検出することにより、フォーマット効率を向上できる等の特長を有する。
請求項９によれば、複数のデータ部に対して１つの識別情報を付与し、複数のデータ部を隣接するトラックでずれた位置に配置することにより、複数のデータ部に対して１つの識別情報を書き込めばよいので、フォーマット効率を向上でき、また、所定のトラックから識別情報を読み出す際に誤って隣接するトラックからの識別情報が読み出されることがないので正確にアクセスを行うことが可能である等の特長を有する。
【０１３１】
請求項１０によれば、データ部に対して、アドレスを付与して管理できる等の特長を有する。
請求項１１によれば、複数のデータ部で連続してサーボエラー感度を高く設定することにより、サーボエラーを確実に検出でき、誤った読み出し、書き込みを防止できる等の特長を有する。
【０１３２】
請求項１２によれば、アドレス判定手段が識別情報が付与されないセクタのアドレスを判定したとき、識別情報に期待されるタイミングに対し、マージンが拡げられたウィンドウ信号を出力することにより、識別情報が付与されないセクタでも確実に情報を読み出すことができる等の特長を有する。
請求項１３によれば、識別情報が付与されたいないセクタからデータにアクセスするときには、その前の識別情報が付与されたセクタからデータを読み出すことことにより、アクセスすべきデータに確実にアクセスできる等の特長を有する。
【図面の簡単な説明】
【図１】従来の光磁気ディスクの一例のディスクフォーマットを示す図である。
【図２】従来の光磁気ディスクの一例のデータ部のデータ構成図である。
【図３】従来の光磁気ディスクの一例のヘッダ部のデータ構成図である。
【図４】従来の光磁気ディスクの一例のデータ部のデータ構成図である。
【図５】本発明の記録媒体の第１実施例のフォーマットを示す図である。
【図６】本発明の記録媒体の第１実施例のデータ部のフォーマットを示す図である。
【図７】本発明の記録媒体の第１実施例のデータ部のアドレスの設定方法を説明するための図である。
【図８】本発明の記録媒体の第１実施例のデータ部のアドレスの他の設定方法を説明するための図である。
【図９】本発明の記録媒体の第２実施例のデータ部のフォーマットを示す図である。
【図１０】本発明の記録媒体の第２実施例のセクタマークのデータ構成図である。
【図１１】本発明の記録媒体の第３実施例のデータ部のフォーマットを示す図である。
【図１２】本発明の記録媒体の第４実施例のデータ部のフォーマットを示す図である。
【図１３】本発明の記録媒体の第４実施例のセクタマーク部分とビームとの関係を示す図である。
【図１４】本発明の情報記憶装置の一実施例のブロック構成図である。
【図１５】本発明の情報記憶装置の一実施例のサーボエラー検出回路のブロック構成図である。
【図１６】本発明の情報記憶装置の一実施例のＯＤＣのブロック構成図である。
【図１７】本発明の情報記憶装置の一実施例のバイトカウンタのブロック構成図である。
【図１８】本発明の情報記憶装置の一実施例のイベント発生手順を説明するための図である。
【図１９】本発明の情報記憶装置の一実施例のランドトラックアクセス時のＩＤ読み出し動作を説明するための図である。
【図２０】本発明の情報記憶装置の一実施例のセクタマーク検出ウィンドウを生成するための処理の等価回路図である。
【図２１】本発明の情報記憶装置の一実施例の合成セクタマークの生成動作を説明するための図である。
【図２２】本発明の情報記憶装置の一実施例の合成セクタマークの生成処理の等価回路図である。
【図２３】本発明の情報記憶装置の一実施例のセクタマーク検出パルス補正処理の等価回路図である。
【図２４】本発明の情報記憶装置の一実施例のゲート作成部の等価回路図である。
【図２５】本発明の情報記憶装置の一実施例のゲート作成部の動作説明図である。
【図２６】本発明の情報記憶装置の一実施例のデータ部のリード／ライト開始タイミングを説明するための図である。
【図２７】本発明の情報記憶装置の一実施例のサーボエラー検出感度の状態を説明するための図である。
【図２８】本発明の記録媒体の第５実施例のフォーマットを示す図である。
【図２９】本発明の記録媒体の第６実施例のフォーマットを示す図である。
【符号の説明】
１００  光磁気ディスク装置
１０１  光磁気ディスク
１０２  スピンドルモータ
１０３  磁気ヘッド
１０４  磁気ヘッド制御回路
１０５  光学ヘッド
１０６  ポジショナ
１０７  ＬＤ制御回路
１０８  ヘッドアンプ
１０９  リード回路
１１０  サーボ回路
１１１  サーボエラー検出回路
１１２  ＯＤＣ
【図１】
0003883092.tif 000002
【図２】
0003883092.tif 000003
【図３】
0003883092.tif 000004
【図４】
0003883092.tif 000005
【図５】
0003883092.tif 000006
【図６】
0003883092.tif 000007
【図７】
0003883092.tif 000008
【図８】
0003883092.tif 000009
【図９】
0003883092.tif 000010
【図１０】
0003883092.tif 000011
【図１１】
0003883092.tif 000012
【図１２】
0003883092.tif 000013
【図１３】
0003883092.tif 000014
【図１４】
0003883092.tif 000015
【図１５】
0003883092.tif 000016
【図１６】
0003883092.tif 000017
【図１７】
0003883092.tif 000018
【図１８】
0003883092.tif 000019
【図１９】
0003883092.tif 000020
【図２０】
0003883092.tif 000021
【図２１】
0003883092.tif 000022
【図２２】
0003883092.tif 000023
【図２３】
0003883092.tif 000024
【図２４】
0003883092.tif 000025
【図２５】
0003883092.tif 000026
【図２６】
0003883092.tif 000027
【図２７】
0003883092.tif 000028
【図２８】
0003883092.tif 000029
【図２９】
0003883092.tif 000030